(57)【要約】【課題】 未使用工具に着目して、工具管理の手間を軽減することを可能とした工具管理装置を提供する。【解決手段】  工具管理装置は、工具毎に識別番号を付与して、工具寿命を含む工具設定情報、工具諸元情報および工具所在情報を収集する工具情報収集部1と、工具情報収集部1で得られた工具設定情報、工具諸元情報および工具所在情報を格納する工具情報格納部2とを備えている。工具管理装置は、工具情報収集部1において一定間隔で収集されて工具情報格納部2に格納された寿命情報に基づいて寿命情報の変化の有無を監視することにより、工具の使用状況を判断し、所定期間以上使用実績がない工具を未使用工具として抽出する未使用工具抽出部3をさらに備えている。【選択図】    図１
2019136822.tif 000002
【特許請求の範囲】
【請求項１】
工具毎に識別番号を付与して、工具寿命を含む工具設定情報、工具諸元情報および工具所在情報を収集する工具情報収集部と、工具情報収集部で得られた工具設定情報、工具諸元情報および工具所在情報を格納する工具情報格納部とを備えている工具管理装置であって、工具情報の履歴が蓄積されて閲覧可能とされているとともに、工具情報収集部において所定間隔で収集されて工具情報格納部に格納された寿命情報に基づいて寿命情報の変化の有無を監視することにより、工具の使用状況を判断し、一定期間以上使用実績がない工具を未使用工具として抽出する未使用工具抽出部をさらに備えていることを特徴とする工具管理装置。
【請求項２】
未使用工具抽出部で抽出された未使用工具の工具識別番号および工具所在情報を表示する未使用工具一覧表示部をさらに備えていることを特徴とする請求項１の工具管理装置。
【発明の詳細な説明】
【技術分野】
【０００１】
この発明は、工作機械において、切削工具の管理を行う工具管理装置に関する。
【背景技術】
【０００２】
旋盤、マシニングセンタといった工作機械を設置している工場では、使用工具の多さから工具の管理が課題となっている。この課題を解決する工具管理装置として、特許文献１には、工具マガジンにいつまでも古い工具が残らないようにするための手段を備えたものが開示されている。
【０００３】
工具の管理に際し、台帳などを使用して工具の所在を人手で管理しようとすると、台帳と実体とが一致しなくないことがよく起こる。そのため、新規の部品加工を検討する際、新規に購入する工具を最小限にするためには、どの機械にどのような工具があるかを現場に確認しに行く必要性が出てくる。また、長期間使用されていない工具が所在不明となったり、それらの工具が現在も使用されているのか、使用予定にある工具なのかが不明となったりするという問題が発生する。
【先行技術文献】
【特許文献】
【０００４】
【特許文献１】特開平９−１０１８１１号公報
【発明の開示】
【発明が解決しようとする課題】
【０００５】
特許文献１には、機械のマガジン内工具について、使用履歴を残し、古い工具から順に工具交換することが開示されているが、工具交換により取り外された工具について管理することについての記載はない。そのため、工作機械から工具を取り出した後、その工具がいつから使用されていないのかが分からず、未使用のまま放置されてしまうことが起こり得る。
【０００６】
この発明の目的は、未使用工具に着目して、工具管理の手間を軽減することを可能とした工具管理装置を提供することにある。
【課題を解決するための手段】
【０００７】
この発明による工具管理装置は、工具毎に識別番号を付与して、工具寿命を含む工具設定情報、工具諸元情報および工具所在情報を収集する工具情報収集部と、工具情報収集部で得られた工具設定情報、工具諸元情報および工具所在情報を格納する工具情報格納部とを備えている工具管理装置であって、工具情報の履歴が蓄積されて閲覧可能とされているとともに、工具情報収集部において所定間隔で収集されて工具情報格納部に格納された寿命情報に基づいて寿命情報の変化の有無を監視することにより、工具の使用状況を判断し、一定期間以上使用実績がない工具を未使用工具として抽出する未使用工具抽出部をさらに備えていることを特徴とするものである。
【０００８】
この発明の工具管理装置によれば、工具情報収集部および工具情報格納部に基づいて工具寿命を含む工具情報が一元管理可能となるとともに、一定期間以上使用実績がない工具を未使用工具として抽出することにより、未使用工具を廃棄・再利用することができる。
【０００９】
未使用工具抽出部で抽出された未使用工具の工具識別番号および工具所在情報を表示する未使用工具一覧表示部をさらに備えていることが好ましい。
【発明の効果】
【００１０】
この発明の工具管理装置によれば、工具情報を一元管理するとともに、一定期間以上使用実績がない工具を未使用工具として抽出することによって、未使用工具を廃棄・再利用することができ、これにより、工具管理の手間を軽減することができる。
【図面の簡単な説明】
【００１１】
【図１】図１は、この発明の工具管理装置の１実施形態を示すブロック図である。
【図２】図２は、未使用工具抽出部の動作を示すフローチャートである。
【発明を実施するための形態】
【００１２】
以下、図１および図２を参照して、この発明の工具管理装置の１実施形態について説明する。
【００１３】
図１に示すように、工具管理装置は、工具毎に識別番号ＩＤを付与して、その工具情報を収集する工具情報収集部(1)と、工具情報収集部(1)で得られた工具情報を格納する工具設定・工具諸元・工具所在情報格納部(2)とを備えている。
【００１４】
工具情報収集部(1)には、工具の識別番号のほか、工具の寿命・使用時間・寿命設定時間・補正値などの工具設定情報、型式・構成などの工具諸元情報、使用場所・保管場所などの工具所在情報などの情報を収集する。寿命情報については、一定時間間隔で収集される。
【００１５】
工具情報収集部(1)の工具情報は、工具情報格納部(2)に登録されてデータベース化される。
【００１６】
こうして、工具情報格納部(2)の工具情報は、その履歴が蓄積されて、閲覧可能とされ、これにより、工具情報格納部(2)内の工具情報に基づいて工具情報の一元管理を行うことができる。
【００１７】
この発明の工具管理装置では、従来行われている処理に加えて、未使用工具を抽出する未使用工具抽出部(3)が追加されている。
【００１８】
未使用工具抽出部(3)は、図２のフローチャートに示すように、抽出する未使用期間を入力するステップ１(S1)と、ある工具について期間内に寿命変化があるかどうかを検出するステップ２(S2)と、ステップ２(S2)において期間内に寿命変化が無い場合に当該工具を未使用工具として抽出するステップ３(S3)と、全ての工具について期間内に寿命変化があるかどうかを検出するステップ４(S4)と、ステップ４(S4)において全ての工具についての検出が終了した場合に未使用工具一覧を表示するステップ５(S5)とを実行する。
【００１９】
ステップ２(S2)において期間内に寿命変化が有る場合には、ステップ４(S4)に移り、ステップ４(S4)において全ての工具についての検出が終了していない場合には、ステップ２(S2)に戻る。
【００２０】
未使用工具抽出部(3)において抽出の対象となる工具には、機械から取り外されたものも含まれ、その工具がいつから使用されていないのかが記録される。こうして、未使用工具抽出部(3)によると、一定期間未使用状態が続いた場合であってもよく使用される工具と区別せずに扱われていた未使用工具が抽出される。
【００２１】
未使用工具の一覧は未使用工具一覧表示部(4)に表示される。未使用工具の一覧には、工具識別番号および工具所在情報が記載される。
【００２２】
この発明の工具管理装置によると、寿命などの種々の工具情報を常時監視し、データベースに蓄積することで、最終使用履歴だけでなく、いつの時点で工具情報がどうであったかが分かるものとなっている。そして、未使用工具抽出部(3)によって未使用工具が抽出されることにより、未使用工具を廃棄したり、一部を流用して再利用したりすることができ、未使用工具の保管に使用されていたスペースを有効に利用することができるとともに、未使用工具が混在していることで必要な工具が見つけにくいという手間が削減され、工具管理の手間を軽減することができる。
【符号の説明】
【００２３】
(1)：工具情報収集部
(2)：工具情報格納部
(3)：未使用工具抽出部
(4)：未使用工具一覧表示部
【図１】
2019136822.tif 000003
【図２】
2019136822.tif 000004